(57)【要約】【課題】  使用者が特に操作を行うことなく通話内容の録音を自動的に行うことができ、また、録音した通話内容の確認及び再生を容易に行うことが可能な携帯電話装置を提供する。【解決手段】  制御回路部７は、予め設定された通話録音条件に基づいて記録対象の通話であることを判断すると、音声信号変換部６から出力される通話音声の音声データをハードディスク装置等からなる記録媒体８に記録する。また、この音声データを通話開始から通話終了まで記録するとともに、通話日時や通話相手等に関する付加情報を音声データと対応付けて記録媒体８に記録する。制御回路部７は、入力操作部１０によって通話履歴の表示操作がなされると、記録媒体８から通話日時や通話相手に関する付加情報を読み出して表示部９に表示させ、表示された付加情報中から特定情報が選択指定されると、対応する音声データを記録媒体８から読み出して再生する。【選択図】  図１
2006191436.tif 000002
【特許請求の範囲】
【請求項１】
音声通話を行う携帯電話装置であって、
通話相手と送受信される通話音声の音声データと、当該通話に関する付加情報とを関連付けて記録媒体に記録する通話録音手段と、
前記音声データの記録を行うための通話録音条件を設定保持する録音条件設定手段とを備え、
前記通話録音手段は、前記通話録音条件に基づいて音声データの記録を行うかどうかを判断し、前記通話録音条件に適合する場合に音声データの記録動作を実行する携帯電話装置。
【請求項２】
請求項１に記載の携帯電話装置であって、
前記通話録音手段は、前記通話録音条件に適合する通話の通話開始から通話終了までの音声データを前記記録媒体に記録する携帯電話装置。
【請求項３】
請求項１に記載の携帯電話装置であって、
前記記録媒体に記録する付加情報は、通話日時、通話相手の少なくとも一方を含み、この付加情報を表示する付加情報表示手段を備える携帯電話装置。
【請求項４】
請求項１に記載の携帯電話装置であって、
前記付加情報の選択指定を入力し、指定された付加情報に関連付けて記憶された音声データを再生する記録音声再生手段を備える携帯電話装置。
【請求項５】
請求項１に記載の携帯電話装置であって、
前記記録媒体としてディスク記録装置を備える携帯電話装置。
【発明の詳細な説明】
【技術分野】
【０００１】
本発明は、通話内容を記録する機能を有する携帯電話装置に関する。
【背景技術】
【０００２】
携帯電話装置等の電話機において、装置に設けたメモ用スイッチを通話中に操作することによって、通話内容を内部の半導体メモリやメモリカード等の外部メモリなどの記録媒体に記録する機能を持つものが知られている。また、この電話機において、装置に設けた再生用スイッチを操作することによって、記録媒体に記録された通話内容が再生され、後で通話内容を聞くことができる（例えば、特許文献１参照）。
【特許文献１】特開平５−２３６０７５号公報
【発明の開示】
【発明が解決しようとする課題】
【０００３】
しかしながら、上記のような従来の電話機では、メモ用スイッチを操作することによって通話録音が開始されるため、例えば通話終了後に重要な内容であったと認識された場合など、録音操作を行わずに事後に通話内容を保存しておきたかったと思ったときなどには対処できない。また、複数件の通話録音を行った場合、各通話録音の内容を確認したり個別に再生したりするのが容易ではない。
【０００４】
本発明は、上記事情に鑑みてなされたもので、使用者が特に操作を行うことなく通話内容の録音を自動的に行うことができ、また、録音した通話内容の確認及び再生を容易に行うことが可能な携帯電話装置を提供することを目的とする。
【課題を解決するための手段】
【０００５】
本発明の携帯電話装置は、音声通話を行う携帯電話装置であって、通話相手と送受信される通話音声の音声データと、当該通話に関する付加情報とを関連付けて記録媒体に記録する通話録音手段と、前記音声データの記録を行うための通話録音条件を設定保持する録音条件設定手段とを備え、前記通話録音手段は、前記通話録音条件に基づいて音声データの記録を行うかどうかを判断し、前記通話録音条件に適合する場合に音声データの記録動作を実行するものである。
【０００６】
これにより、通話音声の音声データとこの通話に関する付加情報とを自動的に記録することができ、使用者が特に操作を行うことなく通話内容の録音を自動的に行うことが可能となる。また、通話に関する付加情報と音声データとが関連付けて記憶されるため、録音した通話内容の確認及び再生を容易に行うことが可能となる。また、通話録音条件の設定により、全通話を録音したり、発信または着信のみを録音したり、特定の通話相手との通話のみを録音したりなど、任意の通話内容を録音することが可能となる。
【０００７】
また、本発明の携帯電話装置は、上記の携帯電話装置であって、前記通話録音手段は、前記通話録音条件に適合する通話の通話開始から通話終了までの音声データを前記記録媒体に記録するものである。これにより、所望の通話音声を通話開始から通話終了まで自動的に録音することができる。
【０００８】
また、本発明の携帯電話装置は、上記の携帯電話装置であって、前記記録媒体に記録する付加情報は、通話日時、通話相手の少なくとも一方を含み、この付加情報を表示する付加情報表示手段を備えるものである。これにより、通話日時や通話相手に関する付加情報に基づき、記録した通話内容の確認及び再生を容易に行うことができる。また、所望の付加情報を指定することで、対応する通話音声を容易に選択して再生等を行うことができる。
【０００９】
また、本発明の携帯電話装置は、上記の携帯電話装置であって、前記付加情報の選択指定を入力し、指定された付加情報に関連付けて記憶された音声データを再生する記録音声再生手段を備えるものである。これにより、付加情報に対応する音声データを容易に抽出して再生することができる。
【００１０】
また、本発明の携帯電話装置は、上記の携帯電話装置であって、前記記録媒体としてディスク記録装置を備えるものである。これにより、大容量の音声データの記録が可能となり、長時間の記録、多数の件数の記録が可能となる。
【発明の効果】
【００１１】
本発明によれば、使用者が特に操作を行うことなく通話内容の録音を自動的に行うことができ、また、録音した通話内容の確認及び再生を容易に行うことが可能な携帯電話装置を提供できる。
【発明を実施するための最良の形態】
【００１２】
図１は本発明の実施形態に係る携帯電話装置の構成を示すブロック図である。本実施形態の携帯電話装置１は、アンテナ２、通信部３、マイクロホン４、レシーバ５、音声信号変換部６、制御回路部７、記録媒体８、表示部９及び入力操作部１０を有して構成される。記録媒体８は、ハードディスク装置等の記憶容量の大きいディスク記録装置など、大容量の記録媒体を用いて構成している。
【００１３】
マイクロホン４から出力された送話音声信号は、通信部３及び音声信号変換部６へ供給される。通信部３は、マイクロホン４から出力された送話音声信号に符号化等の処理を施してアンテナ２を介して送信し、また、アンテナ２を介して受信した通話相手からの音声信号に復号化等の処理を施して受話音声信号を出力する。受話音声信号は、レシーバ５及び音声信号変換部６へ供給される。また、通信部３は、図示しない基地局との間で発着信・通話等に関する各種制御情報等の送受を行うとともに、制御回路部７との間で発着信・通話等に関する各種情報のやりとりを行う。これにより、制御回路部７は着信時に通話相手の電話番号を得ることができる。
【００１４】
音声信号変換部６は、通話録音状態において、送話音声信号と受話音声信号とをミキシングして録音用の通話音声信号を生成し、生成した通話音声信号をＡ／Ｄ変換して音声データを生成する。なお、音声データは符号化処理等を行ってデータ圧縮がなされたものであってもよい。この音声データは、制御回路部７へ供給される。また、音声信号変換部６は、音声再生状態において、制御回路部７を介して記録媒体８から読み出された音声データをＤ／Ａ変換して通話音声信号を生成し、生成した通話音声信号をレシーバ５へ供給して、レシーバ５によって通話音声を再生させる。
【００１５】
制御回路部７は、入力操作部１０によって録音条件設定の操作がなされると、録音条件設定のためのメニュー画面を表示部９に表示させる。このメニュー画面を用いて、携帯電話装置１の使用者は、通話録音を行う通話録音条件を設定することができる。通話録音条件として、次のものを選択して設定できる。（１）全ての通話を録音する。（２）着信の全てを録音する。（３）発信のすべてを録音する。（４）特定の通話相手のみ録音する（○○さんとの通話だけを録音するなど）。（４）の場合は、録音対象となる通話相手の電話番号または名前を指定する。ここで、録音対象となる通話相手は複数登録できる。また、制御回路部７は、上記のように携帯電話装置１の使用者によって設定された通話録音条件を、制御回路部７内の図示しない半導体メモリ等の記憶部、または、記録媒体８に記録しておく。
【００１６】
制御回路部７は、この携帯電話装置１によって発信または着信が行われた際に、通話相手の電話番号や名前、発着信日時等の付加情報を制御回路部７内の図示しない記憶部に記録する。そして、制御回路部７は、使用者によって設定された通話録音条件に基づいてその通話が通話録音の対象であるか否かを判断する。通話録音の対象である場合、制御回路部７は、音声データの記録動作を開始し、音声信号変換部５を通話録音状態に制御する。制御回路部７は、通話が開始されると、音声信号変換部５から出力される音声データを記録媒体８に記録する。また、制御回路部７は、その通話が終了した時点で記録媒体８への音声データの記録動作を停止し、音声信号変換部５を録音停止状態に制御する。
【００１７】
また、制御回路部７は、通話が終了した際、発信・着信の区別、通話開始日時、通話相手の電話番号や名前、通話録音の有無、及び録音時間等の付加情報を記録媒体８に記録する。ここで、制御回路部７は、音声データとその音声データの付加情報とを対応付けて記録する。なお、音声データを記録媒体８に記録し、付加情報は制御回路部７内の記憶部に記録するようにしてもよい。この場合、付加情報に音声データを対応付ける情報をつけておく。
【００１８】
制御回路部７は、入力操作部１０によって通話履歴の表示操作がなされると、記録媒体８から付加情報を読み出し、発信・着信の区別、通話開始日時、通話相手の電話番号や名前、通話録音の有無、及び録音時間等の通話履歴として表示部９に表示させる。通話履歴が多数ある場合には、一部の通話履歴を表示し、他をスクロールして表示可能なようにスクロール表示する。使用者が、所望の通話履歴を選択指定すると、制御回路部７は、音声信号変換部６を音声再生状態に制御し、選択指定された通話に対応する音声データを記録媒体８から読み出し、音声信号変換部６に供給する。これにより、指定された通話音声の録音内容がレシーバ５より再生出力される。
【００１９】
上記構成において、音声信号変換部６及び制御回路部７により、通話音声の音声データと通話日時や通話相手等の通話に関する付加情報とを関連付けて記録媒体８に記録する通話録音手段、及び、指定された付加情報に対応する音声データを再生する記録音声再生手段が構成される。また、制御回路部７、表示部９及び入力操作部１０により、通話内容の録音を行う通話録音条件を設定保持する録音条件設定手段が構成される。また、制御回路部７及び表示部９によって記録された付加情報を表示する付加情報表示手段が構成される。
【００２０】
図２は本発明の実施形態に係る携帯電話装置の通話録音動作のフローチャートである。通話が開始されると、制御回路部７は、通話相手の電話番号や名前、発着信日時等の付加情報を読み出し（ステップＳ２１）、予め設定された記録対象であるかどうか判断する（ステップＳ２２）。この通話が記録対象である場合は（ステップＳ２２でＹＥＳ）、通話音声の音声データを記録媒体８に記録する（ステップＳ２３）。そして通話終了であるかどうか判断し（ステップＳ２４）、音声データの記録は、ステップＳ２４で通話終了と判断されるまで継続される。次に、通話終了であると判断されると（ステップＳ２４でＹＥＳ）、通話相手の電話番号や名前、発着信日時等の付加情報を音声データとの対応を付けて記録媒体８に記録する（ステップＳ２５）。また、通話が記録対象でないと判断された場合（ステップＳ２２でＮＯ）、記録媒体８への音声データの記録を行わず、ステップＳ２５で通話相手の電話番号や名前、発着信日時等の付加情報のみを記録する。
【００２１】
図３は本発明の実施形態に係る携帯電話装置における付加情報（通話履歴）の表示例を示す図である。制御回路部７は、入力操作部１０からの通話履歴表示操作を入力し、記録された通話履歴の表示指示がなされると、記録媒体８に記録されている付加情報を読み出し、読み出した付加情報を表示部９に表示させる。これにより、図３に示すように、発信／着信の区別、通話日時、通話相手の電話番号または名前、録音の有無、録音時間が表示される。なお、通話履歴が一画面に表示可能な件数以上に多数ある場合には、スクロールして表示可能なようにスクロール表示される。
【００２２】
そして、制御回路部７は、入力操作部１０からの選択指定操作を入力し、表示された通話履歴の中から特定の通話の選択指定がなされると、選択指定された通話の音声データを記録媒体８から読み出して、音声信号変換部６、レシーバ５を介して再生させる。
【００２３】
上述した本実施形態によれば、携帯電話装置の使用者が特に操作を行うことなく、全てまたは特定の通話音声を自動的に記録することができる。通話音声を記録するかどうかの通話録音条件として、使用者が任意の通話録音条件を予め設定しておくことにより、この通話録音条件に基づいて所望の通話を記録することができる。また、このとき、通話内容の音声データと通話日時や通話相手等に関する付加情報とを対応付けて記憶することで、付加情報に基づいて対応する通話内容の音声データを容易に抽出することが可能であり、通話記録の呼出、再生、確認等を容易に行うことができる。さらに、大容量の記録媒体を用いることによって、長時間の通話や多数件の通話を記録することができる。また、通話日時や通話相手等の付加情報及び通話内容の音声データを使用者が後で参照可能であり、いつ、誰と、どのような内容の通話を行ったかを確認することができる。
【産業上の利用可能性】
【００２４】
本発明は、使用者が特に操作を行うことなく通話内容の録音を自動的に行うことができ、また、録音した通話内容の確認及び再生を容易に行うことが可能となる効果を有し、通話内容を記録する機能を有する携帯電話装置等に有用である。
【図面の簡単な説明】
【００２５】
【図１】本発明の実施形態に係る携帯電話装置の構成を示すブロック図
【図２】本発明の実施形態に係る携帯電話装置の通話録音動作のフローチャート
【図３】本発明の実施形態に係る携帯電話装置における付加情報（通話履歴）の表示例を示す図
【符号の説明】
【００２６】
１  携帯電話装置
２  アンテナ
３  通信部
４  マイクロホン
５  レシーバ
６  音声信号変換部
７  制御回路部
８  記録媒体
９  表示部
１０  入力操作部
【図１】
2006191436.tif 000003
【図２】
2006191436.tif 000004
【図３】
2006191436.tif 000005